(57)【要約】【課題】移送手段のチャックを正確なストロークで揺動し、移送不良や成形不良を発生することなく微小部品を製造する。【解決手段】揺動機構を作動する駆動機構８５は、駆動ロッド８６の進退移動により正逆回転する第１の駆動軸８８に、作動部材８９が一体回転可能に配設される。作動部材８９に、第１の駆動軸８８から偏心して偏心軸９０が配設され、偏心軸９０は第１の駆動軸８８の正逆回転に伴い円弧状に揺動する。偏心軸９０に外嵌したスリーブ９１に、揺動機構の連結部材７８が連結され、偏心軸９０の揺動に伴ってチャックが隣接するダイス間を揺動する。偏心軸９０を回動することで、第１の駆動軸８８の軸心Ｃ5と連結部材７８における通孔７８ａの中心Ｃ4との離間距離Ｌが変化し、チャックの揺動ストロークが調節される。【選択図】図５
2005219097.tif 000002
【特許請求の範囲】
【請求項１】
ダイブロック(44)に一定の間隔を保って横一列に設けられた複数のダイス(46)および各ダイス(46)に対応して進退移動するよう設けられた複数のパンチ(54)からなり、微小部品を圧造可能な多段圧造手段(18)と、前記各ダイス(46)の前面に水平揺動可能に設けられて素材を把持する複数のチャック(64)を揺動機構(68)により隣接するダイス(46,46)の間を水平揺動させる移送手段(22)とを備え、各ダイス(46)とパンチ(54)とにより圧造した微小な素材をチャック(64)で把持して次段のダイス(46)の前面に順次移送するよう構成した多段式圧造成形機において、
前記揺動機構(68)を作動する駆動機構(85)は、
正逆回転される駆動軸(88)と、該駆動軸(88)に一体的に回転するよう配設された作動部材(89)の駆動軸(88)から偏心する位置に設けられた偏心軸(90)とを備え、
前記揺動機構(68)の連結部材(78)が、その通孔(78a)を介して前記偏心軸(90)に回動可能に外嵌され、前記駆動軸(88)の正逆回転により偏心軸(90)が所定角度範囲で揺動することで、前記揺動機構(68)が作動して前記チャック(64)を水平揺動するよう構成されると共に、
前記偏心軸(90)を連結部材(78)に対して回動することにより、連結部材(78)における前記通孔(78a)の中心(C4)と前記駆動軸(88)の軸心(C5)との間隔調節を行ない得るようにした
ことを特徴とする多段式圧造成形機。
【請求項２】
前記偏心軸(90)は、前記作動部材(89)に設けられる第１軸部(90a)と、該第１軸部(90a)に対して偏心し、前記連結部材(78)が外嵌される第２軸部(90b)とから構成される請求項１記載の多段式圧造成形機。
【請求項３】
ダイブロック(44)に一定の間隔を保って横一列に設けられた複数のダイス(46)および各ダイス(46)に対応して進退移動するよう設けられた複数のパンチ(54)からなり、微小部品を圧造可能な多段圧造手段(18)と、前記各ダイス(46)の前面に水平揺動可能に設けられて素材を把持する複数のチャック(64)を揺動機構(68)により隣接するダイス(46,46)の間を水平揺動させる移送手段(22)とを備え、各ダイス(46)とパンチ(54)とにより圧造した微小な素材をチャック(64)で把持して次段のダイス(46)の前面に順次移送するよう構成した多段式圧造成形機において、
前記揺動機構(68)を作動する駆動機構(85)は、
正逆回転される駆動軸(88)と、該駆動軸(88)に一体的に回転するよう配設された作動部材(89)の駆動軸(88)から偏心する位置に設けられた揺動軸(95)と、この揺動軸(95)に回動可能に外嵌された偏心スリーブ(96)とを備え、
前記揺動機構(68)の連結部材(78)が、その通孔(78a)を介して前記偏心スリーブ(96)に回動可能に外嵌され、前記駆動軸(88)の正逆回転により揺動軸(95)が所定角度範囲で揺動することで、前記揺動機構(68)が作動して前記チャック(64)を水平揺動するよう構成されると共に、
前記偏心スリーブ(96)を揺動軸(95)および連結部材(78)に対して回動することにより、連結部材(78)における前記通孔(78a)の中心(C4)と前記駆動軸(88)の軸心(C5)との間隔調節を行ない得るようにした
ことを特徴とする多段式圧造成形機。
【発明の詳細な説明】
【技術分野】
【０００１】
この発明は、ダイスとパンチとからなる金型組を複数並列に備え、各金型組で加工された素材を、チャックにより順送りするよう構成した多段式圧造成形機に関するものである。
【背景技術】
【０００２】
対をなすダイスとパンチとからなる金型組を複数備え、これら金型組により金属素材を段階的に順次圧造成形する多段式圧造成形機(例えば、特許文献１参照)は、一般に以下の基本的な構成を有している。すなわち、装置フレームには、送り装置により供給される線材を、その先端から所定寸法で切断する切断手段が配設される。また装置フレームの前端面にダイブロックを備え、このダイブロックに、一定の間隔を保って横一列に複数のダイスが設けられる。更に、駆動機構によりダイスに対して進退移動するラムに、各ダイスに対応する複数のパンチが配設されている。ダイブロックの前面には、各ダイスに対応して開閉機構により開閉作動される複数のチャックが配設され、各チャックは、揺動機構により前段のダイスの前面位置から次段のダイスの前面位置まで水平揺動される。そして、前記ラムがダイブロックから後退した際に、前記切断手段により切断された素材または前段の金型組により所要の成形が施された素材を各チャックが把持して次段の金型組まで移送することを、金型組の数だけ繰返すことによって、該素材が所要形状に成形される。なお、ダイスとパンチとにより圧造した素材は、各ダイスに対応して配設されたプッシャーにより押出されて、前記チャックにより把持可能となるよう構成される。
【特許文献１】特開平１０−２４４３４１号公報
【発明の開示】
【発明が解決しようとする課題】
【０００３】
腕時計や精密機器等に用いられる直径が１．５ミリ以下の微小部品は、従来は切削加工により製造されているが、その場合には複数の切削装置が必要となり、装置コストが嵩む問題がある。そこで、前述した多段式圧造成形機により微小部品を製造することが考えられる。しかるに、微小部品を多段式圧造成形機で製造する場合は、前記ダイスに形成される成形用のダイス孔の内径も比例して小さくなり、前記チャックによる素材の移送精度が重要となる。すなわち、チャックをダイス間で正確に揺動させなければ、チャックで素材を把持し得なくなる移送不良を招いたり、あるいは把持した素材がダイス孔からズレた位置に臨んでしまい、成形不良を招くおそれがある。
【０００４】
ここで、前記多段式圧造成形機では、前記チャックの揺動機構は、装置フレームに配設される駆動源に対して着脱自在に連結されて、該駆動源により揺動機構が作動されるよう構成される。このため、揺動機構と駆動源とを連結した際に、揺動機構に組付け誤差等を生じていると、前記チャックの揺動ストロークに誤差を生じ、前述した問題を招いてしまう。しかるに、揺動機構の構成は複雑であるため、複数の部品相互の加工精度を高めるだけでは、前記組付け誤差を微小範囲に収めることは極めて困難であり、多段式圧造成形機での微小部品、特にミリ単位以下(例えば０.５ｍｍ以下)の部品の製造は実現されていないのが現状である。
【０００５】
すなわち本発明は、前述した従来の技術に内在している前記課題に鑑み、これを好適に解決するべく提案されたものであって、移送手段におけるチャックを正確なストロークで揺動し、移送不良や成形不良を発生することなく微小部品を製造し得るようにした多段式圧造成形機を提供することを目的とする。
【課題を解決するための手段】
【０００６】
前記課題を克服し、所期の目的を好適に達成するため、本発明に係る多段式圧造成形機は、
ダイブロックに一定の間隔を保って横一列に設けられた複数のダイスおよび各ダイスに対応して進退移動するよう設けられた複数のパンチからなり、微小部品を圧造可能な多段圧造手段と、前記各ダイスの前面に水平揺動可能に設けられて素材を把持する複数のチャックを揺動機構により隣接するダイスの間を水平揺動させる移送手段とを備え、各ダイスとパンチとにより圧造した微小な素材をチャックで把持して次段のダイスの前面に順次移送するよう構成した多段式圧造成形機において、
前記揺動機構を作動する駆動機構は、
正逆回転される駆動軸と、該駆動軸に一体的に回転するよう配設された作動部材の駆動軸から偏心する位置に設けられた偏心軸とを備え、
前記揺動機構の連結部材が、その通孔を介して前記偏心軸に回動可能に外嵌され、前記駆動軸の正逆回転により偏心軸が所定角度範囲で揺動することで、前記揺動機構が作動して前記チャックを水平揺動するよう構成されると共に、
前記偏心軸を連結部材に対して回動することにより、連結部材における前記通孔の中心と前記駆動軸の軸心との間隔調節を行ない得るようにしたことを特徴とする。
【０００７】
前記課題を克服し、所期の目的を好適に達成するため、本願の別の発明に係る多段式圧造成形機は、
ダイブロックに一定の間隔を保って横一列に設けられた複数のダイスおよび各ダイスに対応して進退移動するよう設けられた複数のパンチからなり、微小部品を圧造可能な多段圧造手段と、前記各ダイスの前面に水平揺動可能に設けられて素材を把持する複数のチャックを揺動機構により隣接するダイスの間を水平揺動させる移送手段とを備え、各ダイスとパンチとにより圧造した微小な素材をチャックで把持して次段のダイスの前面に順次移送するよう構成した多段式圧造成形機において、
前記揺動機構を作動する駆動機構は、
正逆回転される駆動軸と、該駆動軸に一体的に回転するよう配設された作動部材の駆動軸から偏心する位置に設けられた揺動軸と、この揺動軸に回動可能に外嵌された偏心スリーブとを備え、
前記揺動機構の連結部材が、その通孔を介して前記偏心スリーブに回動可能に外嵌され、前記駆動軸の正逆回転により揺動軸が所定角度範囲で揺動することで、前記揺動機構が作動して前記チャックを水平揺動するよう構成されると共に、
前記偏心スリーブを揺動軸および連結部材に対して回動することにより、連結部材における前記通孔の中心と前記駆動軸の軸心との間隔調節を行ない得るようにしたことを特徴とする。
【発明の効果】
【０００８】
本発明に係る多段式圧造成形機によれば、移送手段の揺動機構と駆動機構とを偏心構造により連結するよう構成したから、組付け誤差を微小範囲に収まるよう調節することができ、チャックを正確に揺動させることが可能となり、移送不良や成形不良を発生することなく微小部品を製造することができる。
【発明を実施するための最良の形態】
【０００９】
次に、本発明に係る多段式圧造成形機につき、好適な実施例を挙げて、添付図面を参照しながら以下説明する。
【実施例１】
【００１０】
図１に示す第１実施例に係る多段式圧造成形機１０は、装置フレーム１２に対して着脱自在な取付台１４を備え、該取付台１４に、後述する切断手段１６、多段圧造手段１８、押出し手段２０および移送手段２２が搭載されて、カセット化されている。この取付台１４には、図２に示す如く、係合部材２４が配設されると共に、該係合部材２４に対して係脱可能な被係合部材２６が、装置フレーム１２に回動自在に配設されている。また被係合部材２６には、その枢支部より下側の端部に、装置フレーム１２に配設された作動手段としての油圧シリンダ２８が連結されており、該シリンダ２８を正逆付勢することで、被係合部材２６における枢支部より上側の端部が、係合部材２４に対する係合位置と係合解除位置との間を移動(傾動)するよう構成される。すなわち、装置フレーム１２に設けた台取付部３０に取付台１４を載置(セット)した状態で、油圧シリンダ２８を付勢して被係合部材２６を係合解除位置から係合位置に移動することで、該被係合部材２６が取付台１４の係合部材２４に係合し、これによって取付台１４が装置フレーム１２に位置決め固定されるようになっている。
【００１１】
なお、被係合部材２６が係合部材２４に係合した状態では、取付台１４の一側面が、油圧シリンダ２８の付勢力によって常に台取付部３０における規制面３０ａに圧接されて、該取付台１４の装置フレーム１２に対する適正な位置決めがなされるよう構成される。また油圧シリンダ２８の付勢方向は、装置フレーム１２に配設されている図示しない切換えハンドルを操作することにより、切換えられるようになっている。
【００１２】
前記取付台１４には、装置フレーム１２に配設されて線材を給送する送り装置(図示せず)の下流側に対応して、該線材を案内する線材ガイド３２が配設される。この線材ガイド３２の開放端側の取付台１４に、該ガイド３２で案内された線材を、その先端から所定寸法で切断する切断手段１６が配設されている。この切断手段１６は、後述するラム５２の移動方向に対して直交する水平横方向に往復移動する往復移動体３４と、この往復移動体３４の先端に取付けられた可動切断刃３６と、取付台１４に配設された切断ダイ３８およびストッパ(図示せず)から構成されている。
【００１３】
前記往復移動体３４には、装置フレーム１２に配設されたリンク部材(切断用の駆動手段)４０が、連結ピン４２を介して着脱自在に連結されており、該リンク部材４０を図示しないモータにより駆動して往復移動体３４を往復移動することで、前記送り装置により供給された線材は、前記可動切断刃３６と切断ダイ３８との協働により定寸で切断されるようになっている。また、連結ピン４２を取外して往復移動体３４とリンク部材４０との連結を解除することで、取付台側の切断手段１６と装置フレーム側のリンク部材４０とを切離し得るよう構成される。
【００１４】
前記取付台１４には、図３に示す如く、その前端面にダイブロック４４が配設され、該ダイブロック４４に、一定の間隔を保って横一列に複数のダイス４６が設けられている。また装置フレーム１２に配設された図示しないモータにより回転駆動されるクランク軸４８に、ラム往復駆動用アーム(多段圧造用の駆動手段)５０が配設されると共に、該アーム５０が、取付台１４に摺動自在に配設したラム５２に係脱自在に係合されている。すなわち、ラム５２は、クランク軸４８の回転に伴って、ラム往復駆動用アーム５０を介してダイブロック４４に対して進退移動するよう構成される。また、ラム５２のダイブロック４４を指向する面に、各ダイス４６に対応する複数のパンチ５４が配設される。そして、前記切断手段１６により切断された素材をダイス４６の前面に臨ませた状態で、パンチ５４をダイス４６に向けて近接させることにより、該素材を所要形状に圧造成形するようになっている。すなわち、複数のダイス４６と対応する複数のパンチ５４とによって多段圧造手段１８が構成されている。なお、ダイス４６には、腕時計や精密機器等に用いられる、直径が約１.５ｍｍ以下の微小部品を圧造し得る孔部が形成されると共に、パンチ５４には、前記ダイス４６の孔部に挿入されて、該孔部と協働して前記微小部品を圧造するための凸または凹状のパンチ部が形成されている。前記ラム５２には、前記ラム往復駆動用アーム５０の係合状態を維持する規制部材５６が着脱自在に配設されており、該規制部材５６を取外すことで、ラム５２に対してラム往復駆動用アーム５０を離間し、取付台側の多段圧造手段１８と装置フレーム側のラム往復駆動用アーム５０とを切離し得るようになっている。
【００１５】
前記取付台１４には、前記ダイブロック４４を挟んでラム５２とは反対側に、各ダイス４６に対応してガイド通孔５８が夫々穿設されており、各ガイド通孔５８にプッシャー６０が夫々摺動自動に挿通され、これら複数のプッシャー６０により押出し手段２０が構成される。各プッシャー６０の後端部は取付台１４の外方に所定長さだけ突出し、装置フレーム１２に配設された蹴り出しレバー(押出し用の駆動手段)６２が接離可能に構成される。この蹴り出しレバー６２は、装置フレーム１２に配設された図示しないモータにより、前記プッシャー６０の後端から離間する後退位置と当接する前進位置との間を往復傾動し、前記後退位置から前進位置に傾動する際に、前記プッシャー６０を押圧して、ダイス内から素材を押し出すよう構成される。なお、プッシャー６０に対して後退位置に臨む蹴り出しレバー６２は非連結状態であり、前記取付台１４の装置フレーム１２に対する取付けおよび取外しは支障なく行ない得るようになっている。
【００１６】
前記ダイブロック４４の前面には、図３に示す如く、各ダイス４６に対応して、前記素材を解放可能に把持する複数のチャック６４からなる移送手段２２が配設されている。各チャック６４は、ダイブロック４４に沿って横方向に延在する取付部材６６に夫々開閉自在に配設され、後述する揺動機構６８により取付部材６６を左右方向に揺動させることにより、各チャック６４が隣接するダイス４６,４６の間を水平揺動するよう構成される。また各チャック６４は、開閉機構７０により開閉作動されて、素材の把持と解放とを行なうようになっている。
【００１７】
前記移送手段２２は、図４に示す構成の揺動機構６８を備えている。すなわち、前記チャック６４が配設される取付部材６６の一端部と、装置フレーム１２との間に、平行リンク機構７２が配設されると共に、このリンク機構７２に作動杆７４が連結されている。作動杆７４の開放端部は、図示しないモータで作動される駆動機構(移送用の駆動手段)８５に着脱自在に連結され、該駆動機構８５を介して作動杆７４は左右方向に移動するよう構成される。この結果として、平行リンク機構７２を介して取付部材６６が左右方向に平行移動し、前記各チャック６４が隣接するダイス４６,４６の間を水平揺動するようになっている。
【００１８】
前記駆動機構８５は、図５に示す如く、前記モータによりラム５２の移動方向と平行な方向に水平に進退移動される駆動ロッド８６と、該駆動ロッド８６と直交するよう鉛直姿勢で装置フレーム１２に軸受８７,８７を介して回動自在に枢支される第１の駆動軸８８とを備え、該駆動軸８８の外周に形成されたピニオン部８８ａに、駆動ロッド８６に形成されたラック部８６ａが噛合し、該駆動ロッド８６の進退移動に伴って第１の駆動軸８８が正逆方向に回転するよう構成される。また第１の駆動軸８８の装置フレーム１２から上方に突出する軸端に作動部材８９が一体回転可能に配設されると共に、該作動部材８９には、第１の駆動軸８８の配設位置から偏心する位置に、偏心軸９０が鉛直に配設されて所定高さだけ突出している。そして、該偏心軸９０は、第１の駆動軸８８の正逆回転に伴い、該駆動軸８８を中心として所要角度範囲で円弧状に揺動するようになっている。
【００１９】
前記偏心軸９０は、前記作動部材８９に配設される第１軸部９０ａと、該第１軸部９０ａに対して偏心して上方に延出する第２軸部９０ｂとからなり、第１軸部９０ａの軸心Ｃ1と、第２軸部９０ｂの軸心Ｃ2とは所定量だけ径方向に離間している。なお、作動部材８９は半割構造で、締結ネジ９４,９４を締付けることで第１軸部９０ａを回転不能に固定し得ると共に、締結ネジ９４,９４を緩めることで第１軸部９０ａ(偏心軸９０)の回動を許容し得るよう構成される。
【００２０】
前記偏心軸９０の第２軸部９０ｂには、スリーブ９１が軸受９２,９２を介して同心的に外嵌されて相対的な回動が可能に構成されており、第１の駆動軸８８の正逆回転に伴い偏心軸９０が揺動する際に、スリーブ９１に対して該第２軸部９０ｂが回転するのを許容するようになっている。またスリーブ９１には、前記揺動機構６８の作動杆７４に接続された連結部材７８が着脱自在に連結されており、該スリーブ９１から連結部材７８を取外すことで、移送手段２２は装置フレーム１２に配設された駆動機構８５から切離され、前記取付台１４の装置フレーム１２からの取外しを許容するよう構成される。なお、前記連結部材７８には、スリーブ９１が同心的に嵌挿される通孔７８ａが穿設されており、該通孔７８ａにスリーブ９１を挿通した状態で、該連結部材７８に螺挿した連結ネジ９３を締付けることで、連結部材７８はスリーブ９１に対して位置決め固定されるよう構成される。
【００２１】
図５および図６に示す如く、前記スリーブ９１には、その軸心Ｃ3を中心とする通孔９１ａが穿設され、該通孔９１ａに前記偏心軸９０の第２軸部９０ｂが軸受９２,９２を介して同心的に回動可能に嵌挿されている。すなわち、前記連結部材７８における通孔７８ａの中心Ｃ4およびスリーブ９１の軸心Ｃ3は、前記偏心軸９０における第２軸部９０ｂの軸心Ｃ2と一致するようになっている。従って、作動部材８９に対する固定状態を解除した偏心軸９０を、該連結部材７８およびスリーブ９１に対して回動することにより、前記第１軸部９０ａと第２軸部９０ｂとの偏心作用によって、前記第１の駆動軸８８の軸心Ｃ5と第２軸部９０ｂの軸心Ｃ2、すなわち連結部材７８における通孔７８ａの中心Ｃ4との離間距離Ｌが変化するよう構成される。
【００２２】
ここで、前記移送手段２２におけるチャック６４の揺動ストロークは、前記第１の駆動軸８８の回転量を一定とした場合は、該駆動軸８８の軸心Ｃ5と前記連結部材７８における通孔７８ａの中心Ｃ4との離間距離Ｌにより決定される。従って、該軸心Ｃ5と中心Ｃ4との離間距離Ｌを調節することで、前記チャック６４の揺動ストロークは変化する。すなわち、このように移送手段２２の揺動機構６８と駆動機構８５とを偏心構造により連結することで、揺動機構６８における各部品に組付け誤差があっても、前記偏心軸９０を回動して第１の駆動軸８８の軸心Ｃ5と連結部材７８における通孔７８ａの中心Ｃ4との離間距離Ｌを調節することで、各チャック６４が隣接するダイス４６,４６間を正確に移動するような揺動ストロークに調節することができるものである。なお、前記偏心軸９０は、チャック６４の揺動ストロークを、前記微小部品の移送不良や成形不良を生ずることなく正確に移送し得るよう、微小単位で調節し得るよう設定される。
【００２３】
前記開閉機構７０は、取付台１４に配設されたカム機構８０を備え、該カム機構８０は、装置フレーム１２に配設されている第２の駆動軸(移送用の駆動手段)８２にクラッチ８４を介して連結されており、図示しないモータで第２の駆動軸８２を回転することで、カム機構８０が作動して前記各チャック６４が開閉作動されるよう構成される。またクラッチ８４の連結状態を解除して第２の駆動軸８２とカム機構８０とを切離すことで、前記取付台１４の装置フレーム１２からの取外しを許容するようになっている。
【００２４】
〔第１実施例の作用〕
次に、前述した第１実施例に係る多段式圧造成形機の作用につき説明する。
【００２５】
前記送り装置により切断手段１６に供給された線材は、該切断手段１６により予め設定された長さ寸法に切断される。この得られた素材は、線材が送り装置により更に供給されることで切断手段１６から前方に押出され、前記開閉機構７０の作動により、その前面に臨む最上流側のチャック６４に把持される。このようにチャック６４が素材を把持すると、前記揺動機構６８が作動し、取付部材６６を左右方向に移動することで、該チャック６４は最初のダイス４６の前面に移動される。
【００２６】
前記チャック６４がダイス４６の前面に到来するタイミングで、前記ラム５２がダイブロック４４に向けて近接移動し、パンチ５４がチャック６４に把持されている素材をダイス４６に押込む。この素材の後端が、ダイブロック４４に配設されているプッシャー６０の先端に当接して移動が規制されることで、該素材の先端にはパンチ５４により打撃が加えられ、所定形状に圧造成形される。
【００２７】
次に、前記ラム５２がダイブロック４４から離間した後に、前記取付部材６６が左右方向に移動することで、最上流側のチャック６４は切断手段１６の前面に臨むと共に、先端に成形された素材を保持しているダイス４６の前面に、隣接する別のチャック６４が臨む。この状態で、プッシャー６０が後退位置から前進位置まで移動することで、素材はダイス４６から押出される。このとき、前記チャック６４は開閉機構７０により開閉作動され、ダイス４６から押出される素材を把持する。なお、上流側のチャック６４では、切断手段１６から線材により押出される次の素材が把持される。
【００２８】
以上の動作を、ダイス４６の配設数だけ繰返すことで、最終的な形状に成形された製品が得られる。
【００２９】
ここで、前記揺動機構６８を構成する各部品の組付け誤差等により、前記駆動機構８５の作動ストロークに対して、前記チャック６４が、隣接するダイス４６,４６間を正確に水平揺動し得ない場合は、前述した問題を生ずる。しかるに第１実施例では、前述したように、前記移送手段２２における揺動機構６８は、装置フレーム１２に配設されている駆動機構８５に、偏心構造により連結してある。従って、チャック６４の揺動ストロークが、製造する製品に対して許容し得る範囲外であった場合は、前記締結ネジ９４,９４を緩めて前記作動部材８９に対して固定状態を解除した偏心軸９０を、前記連結部材７８およびスリーブ９１に対して回動し、前記第１の駆動軸８８の軸心Ｃ5と連結部材７８における通孔７８ａの中心Ｃ4との離間距離Ｌを調節する。これにより、チャック６４の揺動ストロークを、製造する製品に見合った許容範囲内に調節することができる。すなわち、揺動機構６８等を構成する各部品の加工精度を高めるだけでは対応できなかった、直径が１.５ｍｍ以下、更にはミリ単位以下の微小部品の製造にも対応し得るものである。
【００３０】
次に、オーダチェンジにより異なる製品を製造する場合は、前記切断手段１６、多段圧造手段１８、押出し手段２０および移送手段２２に対する各駆動系の連結状態を解除する。すなわち、切断手段１６に関しては、前記連結ピン４２を取外して往復移動体３４とリンク部材４０との連結を解除する。また多段圧造手段１８に関しては、前記規制部材５６を取付台１４から取外して、前記ラム往復駆動用アーム５０をラム５２から離間させる。更に、移送手段２２に関しては、揺動機構６８における連結部材７８をスリーブ９１から取外して作動杆７４と駆動機構８５との連結を解除すると共に、開閉機構７０におけるクラッチ８４の連結状態を解除することで、カム機構８０と第２の駆動軸８２との連結を解除する。なお、押出し手段２０に関しては、前記蹴り出しレバー６２を後退位置に位置決めすることで、プッシャー６０に対して非当接状態とする。これにより、装置フレーム側の駆動系と、取付台１４に搭載されている切断手段１６、多段圧造手段１８、押出し手段２０および移送手段２２との連結状態は全て解除される。
【００３１】
この状態で、前記油圧シリンダ２８を付勢して被係合部材２６を係合解除位置に移動することで、該被係合部材２６と取付台１４の係合部材２４との係合状態は解除され、該取付台１４は装置フレーム１２から取外し可能となる。この取付台１４は、図示しないチェンブロック等の吊下げ手段を用いて台取付部３０から吊り上げて取外し、外部の交換台等に載置する。次い、予め芯出し等の各種調整を行なった新たな製品に対応する切断手段１６、多段圧造手段１８、押出し手段２０および移送手段２２が搭載されている取付台１４を、吊下げ手段を用いて装置フレーム１２の台取付部３０に載置する。この状態で、前記油圧シリンダ２８を付勢して被係合部材２６を係合解除位置から係合位置に移動することで、該被係合部材２６が取付台１４の係合部材２４に係合し、当該取付台１４は装置フレーム１２に位置決め固定される。なお、被係合部材２６を油圧シリンダ２８の付勢力によって係合部材２４に係合させることで、取付台１４は装置フレーム１２の規制面３０ａに自動的に当接するようになるから、正確な位置決めが達成される。
【００３２】
すなわち、製品毎に対応する切断手段１６、多段圧造手段１８、押出し手段２０および移送手段２２が搭載されている取付台１４を複数用意しておけば、オーダチェンジに際しては取付台１４の交換を行なうだけでよく、現場での各手段の調整作業を省略することができる。しかも、装置フレーム１２に対する取付台１４の取外しおよび取付けは、油圧シリンダ２８を付勢するだけでよく、複数のネジ等を緩み外したり締付ける煩雑で時間の掛かる作業を不要とし、段取り時間を短縮して生産能率を向上することができる。更に、移送手段２２の揺動機構６８と駆動機構８５とは偏心構造で連結してあるから、微小部品を製造するのに対応して、前記チャック６４の揺動ストロークを微小単位で調節することができる。すなわち、多段式圧造成形機１０により微小部品を製造することができ、従来のように効率の低い切削装置での製造に比べて、飛躍的に製造効率が向上する。
【実施例２】
【００３３】
図７および図８は、第２実施例に係る多段式圧造成形機に採用される偏心構造の別例を示すものであって、その基本的な構成は前述した第１実施例と同一であるので、異なる部分についてのみ説明し、既出の同一部材には同じ符号を付して示すこととする。
【００３４】
この第２実施例において、前記駆動機構８５は、前記第１の駆動軸８８に配設された作動部材８９に、第１の駆動軸８８の配設位置から偏心した位置に鉛直に配設されて所定高さだけ突出する揺動軸９５を備える。そして、該揺動軸９５は、第１の駆動軸８８の正逆回転に伴い、該駆動軸８８を中心として所要角度範囲で円弧状に揺動するようになっている。また揺動軸９５には、偏心スリーブ９６が軸受９２,９２を介して相対的な回動が可能な状態で外嵌されており、第１の駆動軸８８の正逆回転に伴い揺動軸９５が揺動する際に、偏心スリーブ９６に対して該揺動軸９５が回転するのを許容するようになっている。また偏心スリーブ９６には、前記作動杆７４の連結部材７８が、前記通孔７８ａを介して着脱自在に外嵌されており、前記連結ネジ９３を締付けることで、連結部材７８は偏心スリーブ９６に対して位置決め固定されるよう構成される。
【００３５】
図８に示す如く、前記偏心スリーブ９６には、その軸心Ｃ6から中心Ｃ7を所要量だけ偏位した位置に偏心通孔９６ａが穿設され、該偏心通孔９６ａに前記揺動軸９５が軸受９２,９２を介して回動可能に嵌挿されている。すなわち、前記連結部材７８における通孔７８ａの中心Ｃ4は、偏心スリーブ９６の軸心Ｃ6と一致し、また偏心通孔９６ａの中心Ｃ7が、前記揺動軸９５の軸心Ｃ8と一致するようになっている。従って、連結部材７８に対する固定状態を解除した偏心スリーブ９６を、該連結部材７８および揺動軸９５に対して回動することにより、前記第１の駆動軸８８の軸心Ｃ5と偏心スリーブ９６の軸心Ｃ6、すなわち連結部材７８における通孔７８ａの中心Ｃ4との離間距離Ｌが変化するよう構成される。なお、前記偏心スリーブ９６は、チャック６４の揺動ストロークを、前記微小部品の移送不良や成形不良を生ずることなく正確に移送し得るよう、微小単位で調節し得るよう設定される。
【００３６】
前記第２実施例において、前記チャック６４の揺動ストロークを調節する場合は、前記連結ネジ９３を緩めて前記連結部材７８に対して固定状態を解除した偏心スリーブ９６を、該連結部材７８および前記揺動軸９５に対して回動し、前記第１の駆動軸８８の軸心Ｃ5と連結部材７８における通孔７８ａの中心Ｃ4との離間距離Ｌを調節する。これにより、チャック６４の揺動ストロークを、製造する製品に見合った許容範囲内に調節することができる。すなわち、第２実施例においても、前記第１実施例と同様に、揺動機構６８等を構成する各部品の加工精度を高めるだけでは対応できなかった、直径が１.５ｍｍ以下、更にはミリ単位以下の微小部品の製造にも対応することができる。
【００３７】
〔変更例〕
前記各実施例では、駆動軸を正逆回転する手段として、ラックとピニオンを用いた構造としたが、モータにより駆動されるクランク機構を駆動軸に連結して正逆回転させたり、あるいはモータにより回転されるギヤを駆動軸に設けたギヤに噛合して正逆回転させたりする構造、その他の各種公知の構造を採用することができる。また各実施例では、被係合部材を係合部材に対して移動する作動手段として油圧シリンダを挙げたが、エア等、他の流体を用いるシリンダ、あるいはネジ軸を正逆回転することで被係合部材を係合位置と係合解除位置との間を移動する構成、その他各種の手段を採用し得る。この場合に、ネジ軸は、手動あるいはモータ等の駆動手段により回転することが可能である。
【図面の簡単な説明】
【００３８】
【図１】第１実施例に係る多段式圧造成形機の概略構成を一部破断して示す要部平面図である。
【図２】第１実施例に係る多段式圧造成形機の概略構成を示す縦断側面図である。
【図３】第１実施例に係る多段式圧造成形機の多段圧造手段、切断手段および移送手段を示す要部縦断正面図である。
【図４】第１実施例に係る多段式圧造成形機の多段圧造手段、切断手段および移送手段を示す要部平面図である。
【図５】第１実施例に係る多段式圧造成形機の移送手段と駆動機構との連結部を示す縦断側面図である。
【図６】第１実施例に係る多段式圧造成形機の移送手段と駆動機構との連結部を一部切欠いて示す要部平面図である。
【図７】第２実施例に係る多段式圧造成形機の移送手段と駆動機構との連結部を示す縦断側面図である。
【図８】第２実施例に係る多段式圧造成形機の移送手段と駆動機構との連結部を一部切欠いて示す要部平面図である。
【符号の説明】
【００３９】
１８ 多段圧造手段，２２ 移送手段，４４ ダイブロック，４６ ダイス
５４ パンチ，６４ チャック，６８ 揺動機構，７８ 連結部材，７８ａ 通孔
８５ 駆動機構，８８ 第１の駆動軸(駆動軸)，８９ 作動部材，９０ 偏心軸
９０ａ 第１軸部，９０ｂ 第２軸部，９５ 揺動軸，９６ 偏心スリーブ
Ｃ4 連結部材の通孔の中心，Ｃ5 第１の駆動軸の軸心
【図１】
2005219097.tif 000003
【図２】
2005219097.tif 000004
【図３】
2005219097.tif 000005
【図４】
2005219097.tif 000006
【図５】
2005219097.tif 000007
【図６】
2005219097.tif 000008
【図７】
2005219097.tif 000009
【図８】
2005219097.tif 000010